(57)【要約】【課題】子どもが、４歳になると、チャイルドシートに、ゆあかんとストレスを感じて、チャイルドシートに座らなくなり、子どもの危険度がたかくなるのを解消するための本考案物である。【解決手段】車中横上部と座席横下の取り付けてあるシートベルトに、本考案物を取り付ける物である。シートベルト角度調整器具は、図２のＵ字形金属に符号２の板をツマミ付きボルトで、車中取り付けシ−トべルトに考案物の器具をはめ込み閉めつけて、固定させる。考案物の上部器具と下部器具の間隔は、符号７のベルトで決める。決めた長さを固定させるのは、符号８のギザギザ板の先にベルトを当てて、挟み込んで固定させる。本考案物を、取り付けることによって車中取り付けシートベルトが、子どもの首に掛からなくなり、安全で安心して子どもを、車に乗せられることが出来る。【選択図】　　　　図２
0003097816.tif 000002
【実用新案登録請求の範囲】
【請求項１】
車中取り付けのシ−トベルトの上部と下部に、シ−トベルト角度調整器具をツマミ付きボルトで、車中取り付けシ−トベルトに固定させる。上部器具と下部器具の、考案物の取り付けのベルトの長さで調整すると、子どもの首に、車中取り付けシ−トベルトが掛からないようになることを特徴とする器具。
【考案の詳細な説明】
【０００１】
【考案の属する技術分野】
本考案は、ベルトの長さを上部と下部の２ケ所で調整できる器具を備えることによって幼児や子供の首に車中取り付けシ−トベルトが掛からないようにするものである。上部器具のシートベルト角度調整器具は、車中横上取り付けシートベルトの上から下に、はめ込み、ツマミ付きボルトで、車中取り付けシートベルトに固定させる。下部器具のシートベルト角度調整器具は、座席横下にシートベルト取り付け根元から少しはなして、角度調整器具を下から上にはめ込み、ツマミ付きボルトで固定させる。
【０００２】
【従来の技術】
チャイルドシートだと、子どもの成長に伴い、大小に取り替えなければならない、そのため不経済、不要物が発生することが、大きな問題になっていた。
【０００３】
【考案が解決しょうとする課題】
子どもが、大きくなってくると、チャイルドシートに、ゆあかんをもち、チャイルドシートに座らなくなって危険度が高くなってくる。かといって、子どもに合うように、そのつどチャイルドシートを大きくすることも出来ない。購入も高額になる。子どもが２人以上いるとチャイルドシートも２個以上必要になってくる。取り付け、取り外しも大変である。取り外したチャイルドシートの置き場所にも苦労します。その為の本考案物である
【０００４】
【課題を解決するための手段】
考案のベルトで上部器具と下部器具の間隔で調整が出来るようになっている。考案物のベルトの長さによって車中取り付けシートベルトの横上から下に下がってくる角度の調整が出来る。考案物を車中取り付けシートベルトの上部横上と下部座席横下に固定させ、子どもの座高に合わせて、車中取り付けシートベルトの上から下にさがってくる角度を考案物のベルトの長さで調整が出来るようになっている。
【０００５】
【考案の実施の形態】
考案物が子ども、自身で簡単に車中取り付けシートベルトに、はめ込みツマミ付きボルトでしめつけ固定が出来る又、簡単に考案物のベルトの長さの調整も出来、自分の座高に合わせることも出来る。購入価額も、チャイルドシートの価額よりも、この考案物はかなりの格安で購入が出来ます。
【０００６】
【考案の効果】
本考案物シートベルト角度調整器具を車中取り付けシートベルトにツマミ付きボルトの器具でしめつけ固定させることによって、幼児や子どもの首に車中取り付けシートベルトが掛からないようになるための本考案物である。
【図面の簡単な説明】
【図１】右側前上部器具と下部器具体は、金属製で厚みは２．５ミリでツマミは、プラッチック製でボルトは、プラッチックの真中にはめ込みになっている。
【図２】横面で８ミリのボルトと８ミリのナットで、ナットは本体のＵ字形の外側の穴の上に溶接してあり８ミリのボルトで符号２の板を、車中取り付けシートベルトに当て閉めして、固定させる。符号３は、符号２板が右に出ないように止め板である。
【図３】右裏側で上部器具のギザギザはベルトの長さを調整した後の移動止めです。下部器具の丸い記号はリミットピン５本です。
【図４】左裏側上部器具で符号９はベルトの重なりを固定させる、布製のわっぱです。
【図５】左前側上部器具で図面右側が長くなっているのは、車中取り付けシートベルトの下に下がってくる角度が直角にならないために、長さが変えてある。
【図６】全体図で上部器具の角度が違っています。左右の太い線が本考案物のシートベルト角度調整器具です。
【符号の説明】
１　Ｕ字形本体
２　車中取り付けシートベルトに当て閉め固定板
３　符号２板が長さが高い方に回らないようにする為の止め板
４　ナットは、Ｕ字形本体の穴の上に溶接してあります。
５　符号２板を動かすボルト
６　プラッチック製ツマミで真中の穴に、８ミリのボルトが、はめ込んであり
ます。
７　長さ調整ベルト
８　長さ調整後のベルト固定ギザギザ板
９　ベルトのかさなりをおさえる輪
１０　下部器具にベルトを固定押さえる板
１１　下部器具にベルト取り付けリミットピン５本
【図１】
0003097816.tif 000003
【図２】
0003097816.tif 000004
【図３】
0003097816.tif 000005
【図４】
0003097816.tif 000006
【図５】
0003097816.tif 000007
【図６】
0003097816.tif 000008
【手続補正書】
【提出日】平成15年6月6日(2003.6.6)
【手続補正１】
【補正対象書類名】明細書
【補正対象項目名】全文
【補正方法】変更
【補正の内容】
【考案の詳細な説明】
【実用新案登録請求の範囲】
【請求項１】車中取り付けのシ−トベルトの上部と下部に、本考案物のツマミ付きボルトで、車中取り付けシ−トベルトに固定させ、上部器具と下部器具の、取り付けのベルトの長さを調整することにより、子どもの首に、車中取り付けシ−トベルトが掛からないようになることを特徴とする。シートベルト角度調整器具。
【考案の詳細な説明】
【０００１】
【考案の属する技術分野】
本考案は、ベルトの長さを上部と下部の２ケ所で調整できる器具を備えることによって幼児や子供の首に車中取り付けシ−トベルトが掛からないようにするものである。上部器具のシートベルト角度調整器具は、車中横上取り付けシートベルトの上から下に、はめ込み、ツマミ付きボルトで、車中取り付けシートベルトに固定させる。下部器具のシートベルト角度調整器具は、座席横下にシートベルト取り付け根元から少しはなして、角度調整器具を下から上にはめ込み、ツマミ付きボルトで固定させる。
【０００２】
【従来の技術】
チャイルドシートだと、子どもの成長に伴い、大小に取り替えなければならない、そのため不経済、不要物が発生することが、大きな問題になっていた。
【０００３】
【考案が解決しょうとする課題】
子どもが、大きくなってくると、チャイルドシートに、ゆあかんをもち、チャイルドシートに座らなくなって危険度が高くなってくる。かといって、子どもに合うように、そのつどチャイルドシートを大きくすることも出来ない。購入も高額になる。子どもが２人以上いるとチャイルドシートも２個以上必要になってくる。取り付け、取り外しも大変である。取り外したチャイルドシートの置き場所にも苦労します。その為の本考案物である。
【０００４】
【課題を解決するための手段】
考案のベルトで上部器具と下部器具の間隔で調整が出来るようになっている。考案物のベルトの長さによって車中取り付けシートベルトの横上から下に下がってくる角度の調整が出来る。考案物を車中取り付けシートベルトの上部横上と下部座席横下に固定させ、子どもの座高に合わせて、車中取り付けシートベルトの上から下にさがってくる角度を考案物のベルトの長さで調整が出来るようになっている。
【０００５】
【考案の実施の形態】
考案物が子ども、自身で簡単に車中取り付けシートベルトに、はめ込みツマミ付きボルトでしめつけ固定が出来る又、簡単に考案物のベルトの長さの調整も出来、自分の座高に合わせることも出来る。購入価額も、チャイルドシートの価額よりも、この考案物はかなりの格安で購入が出来ます。
図１で、右側前上部器具と下部器具は、金属製で厚みは２．５ミリでツマミは、プラッチック製でボルトは、プラッチックの真中にはめ込みになっている。
図２で、横面で６ミリのボルトと８ミリのナットで、ナットはＵ字形の外がはの穴の上に溶接してあり８ミリのボルトで符号２の板を、車中取り付けシートベルトに当て締めして固定させる。符号３は、符号２板が右に出ないように止め板である。
図３で右裏側で上部器具のギザギザは、ベルトの長さを調整した後の移動止めです。下部器具の丸い記号はリミットピン５本です。
図４で左裏側上部器具で符号９ば、ベルトの重なりを固定させる布製のわっぱです。
図５で左前側上部器具で図面右側が長くなっているのは、車中取り付けシートベルトの下に下がってくる角度が直角にならないために、長さがかえてある。
図６で全体図で上部器具の角度が違っています。左右の太い線が本考案物のシートベルト角度調整器具です。
【考案の効果】
本考案物シートベルト角度調整器具を車中取り付けシートベルトにツマミ付きボルトの器具でしめつけ固定させることによって、幼児や子どもの首に車中取り付けシートベルトが掛からないようになるための本考案物である。
【図面の簡単な説明】
【図１】本考案のシートベルト角度調整器具の正面図である。
【図２】図１のシートベルト角度調整器具の側面図である。
【図３】図１のシートベルト角度調整器具の背面図である。
【図４】他熊様のシートベルト角度調整器具でＵ字形本体周りの背面図である。
【図５】他熊様のシートベルト角度調整器具でＵ字形本体周りの正面図である。
【図６】本考案のシートベルト角度調整器具の取り付け説明図である。
【符号の説明】
１　Ｕ字形本体
２　車中取り付けシートベルトに当て閉め固定板
３　符号２板が長さが高い方に回らないようにする為の止め板
４　ナットは、Ｕ字形本体の穴の上に溶接してあります。
５　符号２板を動かすボルト
６　プラッチック製ツマミで真中の穴に、８ミリのボルトが、はめ込んであります。
７　長さ調整ベルト
８　長さ調整後のベルト固定ギザギザ板
９　ベルトのかさなりをおさえる輪
１０　下部器具にベルトを固定押さえる板
１１　下部器具にベルト取り付けリミットピン５本
【手続補正書】
【提出日】平成15年7月28日(2003.7.28)
【手続補正１】
【補正対象書類名】明細書
【補正対象項目名】実用新案登録請求の範囲
【補正方法】変更
【補正の内容】
【実用新案登録請求の範囲】
【請求項１】
長さ調節可能なベルトの両端に、ツマミ付きボルトによりシートベルトをしめつけ固定する器具を設けたことを特徴とするシートベルト角度調整器具。
【手続補正２】
【補正対象書類名】明細書
【補正対象項目名】０００４
【補正方法】変更
【補正の内容】
【０００４】長さ調節可能なベルトの両端に、ツマミ付きボルトによりシートベルトをしめつけ固定する器具を設けたことを特徴とするシートベルト角度調整器具、考案のベルトで上部器具と下部器具の間隔で調整が出来るようになっている。考案物のベルトの長さによって車中取り付けシートベルトの横上から下に下がってくる角度の調整が出来る。考案物を車中取り付けシートベルトの上部横上と下部座席横下に固定させ、子どもの座高に合わせて、車中取り付けシートベルトの上から下にさがってくる角度を考案物のベルトの長さで調整が出来るようになっている。